(57)【要約】【課題】扉体の開放初期の開放力を軽減する。【解決手段】扉体開放時に扉体５の戸先側を室外側に押し出す押し出し部７と、押し出し部７を作動させる作動機構８とを備えた扉開放支援装置である。押し出し部７は、扉体５の戸先側端面５２の室内側角部Ｃが戸先側縦枠３の見込面の室外側角部よりさらに室外側に押し出されるまで作動し、扉体５の戸先側端面５２の室内側角部Ｃと戸先側縦枠３の室外側角部との間に室内外を連通する隙間が形成される。【選択図】図２
2010144373.tif 000002
【特許請求の範囲】
【請求項１】
開口部閉鎖状態にある扉体の開放時に扉体の戸先側を室外側に押し出す押し出し部と、
前記押し出し部を作動させる作動機構と、を備え、
前記押し出し部及び前記作動機構は、開口枠側あるいは扉体側のいずれかに設けてあり、前記押し出し部は、開口部閉鎖状態及び押し出し部の作動時に、扉体側あるいは開口枠側のいずれかに設けた被当接部に当接する当接部を備えており、押し出し部の作動時に前記当接部が突出することによって扉体の戸先側を室外側に押し出すようになっており、
開口部閉鎖状態では、扉体の戸先側端面は戸先側縦枠の見込面に近接対向しており、
前記押し出し部は、前記作動機構によって、扉体の戸先側端面の室内側角部が戸先側縦枠の見込面の室外側角部よりさらに室外側に押し出されるまで作動し、扉体の戸先側端面の室内側角部と戸先側縦枠の室外側角部との間に室内外を連通する隙間が形成される、
扉開放支援装置。
【請求項２】
前記押し出し部は、第１回動端と第２回動端を備えた第１アームと、第１回動端と第２回動端を備えた第２アームと、を有し、
第１アームと第２アームの第１回動端同士が互いに回動自在に連結され、第１回動端同士の連結部に前記当接部が設けられ、
第１アームと第２アームの２つの第２回動端の一方の第２回動端は開口幅方向に移動可能な可動端であり、他方の第２回動端は開口幅方向の移動が規制された固定端であり、
前記作動機構は、前記可動端を前記固定端へ向かって移動させることで前記当接部を突出させる、
請求項１に記載の扉開放支援装置。
【請求項３】
前記作動機構は電源からの通電で電動駆動され、
前記固定端は、移動規制手段によって開口幅方向の移動が規制されており、
前記移動規制手段は通電時に前記固定端の移動を規制し、停電時に前記固定端の移動規制を解除して前記固定端の移動を許容するように構成されている、
請求項２に記載の扉開放支援装置。
【発明の詳細な説明】
【技術分野】
【０００１】
本発明は、開口部閉鎖状態にある扉体の開放時に扉体の開放を補助する扉開放支援装置に関するものである。
【背景技術】
【０００２】
近年、マンション及びビル等においては、気密性能・断熱性能の向上及び２４時間換気の実施などにより、室内外の気圧差が大きくなり、扉開放に過大な力が必要となるケースが増えてきている。時には、年配者や小さな子供では扉を開放することが困難なほどの力が扉体に加わる場合もある。
【０００３】
扉体の開放初期の開放力を軽減する装置が、特許文献１、特許文献２に記載されている。これらの装置は、いずれもラッチの動作に連動して動作する開放支援機構を用いるものであり、扉体の開放初期に僅かに扉体の戸先側を開口枠側の気密部材から離間させるものに過ぎない。
【０００４】
本出願の発明者等が実験したところでは、開口部閉鎖状態の扉体に加わる力にも拠るが、扉体の戸先側を単に気密部材から離間させた程度では、扉体の開放力の軽減には不十分であり、僅かに開いた扉体が室内外の気圧差によって直ぐに開口部閉鎖状態に戻ってしまうことがわかった。
【特許文献１】特許第４０３４２１６号
【特許文献２】特許第４１７７２８３号
【発明の開示】
【発明が解決しようとする課題】
【０００５】
本発明は、従来の扉体開放支援装置の上記不具合を解決することを目的とするものである。
【課題を解決するための手段】
【０００６】
かかる課題を達成するために本発明が採用した技術手段は、
開口部閉鎖状態にある扉体の開放時に扉体の戸先側を室外側に押し出す押し出し部と、
前記押し出し部を作動させる作動機構と、を備え、
前記押し出し部及び前記作動機構は、開口枠側あるいは扉体側のいずれかに設けてあり、前記押し出し部は、開口部閉鎖状態及び押し出し部の作動時に、扉体側あるいは開口枠側のいずれかに設けた被当接部に当接する当接部を備えており、押し出し部の作動時に前記当接部が突出することによって扉体の戸先側を室外側に押し出すようになっており、
開口部閉鎖状態では、扉体の戸先側端面は戸先側縦枠の見込面に近接対向しており、
前記押し出し部は、前記作動機構によって、扉体の戸先側端面の室内側角部が戸先側縦枠の見込面の室外側角部よりさらに室外側に押し出されるまで作動し、扉体の戸先側端面の室内側角部と戸先側縦枠の室外側角部との間に室内外を連通する隙間が形成される、扉開放支援装置、である。
【０００７】
一つの態様では、前記押し出し部は、第１回動端と第２回動端を備えた第１アームと、第１回動端と第２回動端を備えた第２アームと、を有し、
第１アームと第２アームの第１回動端同士が互いに回動自在に連結され、第１回動端同士の連結部に前記当接部が設けられ、
第１アームと第２アームの２つの第２回動端の一方の第２回動端は開口幅方向に移動可能な可動端であり、他方の第２回動端は開口幅方向の移動が規制された固定端であり、
前記作動機構は、前記可動端を前記固定端へ向かって移動させることで前記当接部を突出させる。
【０００８】
１つの態様では、前記作動機構は電源からの通電で電動駆動され、
前記固定端は、移動規制手段によって開口幅方向の移動が規制されており、
前記移動規制手段は通電時に前記固定端の移動を規制し、停電時に前記固定端の移動規制を解除して前記固定端の移動を許容するように構成されている。
【発明の効果】
【０００９】
本発明では、室内外の気圧等に起因する扉開放にかかる負荷に対し、扉開放支援装置が扉開放に必要な開放力をアシストして扉体を室外側へ押し出すと共に、扉体の戸先側端面の室内側角部と戸先側縦枠の室外側角部との間に室内外を連通する隙間を形成して十分な空気の流れを提供することにより、扉体の開放をより小さい力で行なうことを可能とする。
【００１０】
請求項２に記載したものでは、第１アームと第２アームとから押し出し部をシンプルに構成するものでありながら、押し出し部の突出寸法を大きく確保することができ、扉体の戸先側端面の室内側角部と戸先側縦枠の室外側角部との間に室内外を連通する隙間を良好に形成する。より具体的には、押し出し部の回動端部の移動方向（開口幅方向）と押し出し方向とが概ね直交するので、室内外方向に大きなスペースを確保することなく、第１アームと第２アームを開口幅方向に延設させることで、押し出し部の突出寸法を大きく確保できる。また、作動機構としては、アームの１つの回動端部を直線的に往復動させる機構（ラック・ピニオン、送りねじ機構等の直動機構等）を広く採用することができる。
【００１１】
請求項３に記載したものでは、作動機構の電源が商用電源である場合において、押し出し部が突出した時に停電が生じたとしても、停電時には固定端の移動規制を解除して固定端の移動が自由となるので、ドアクローザ等の閉鎖力を用いて突出姿勢にある押し出し部を押し込みながら扉体を自動的に閉鎖することができる。したがって、扉体が開放したままとなって防犯上・消防上の問題が生じることがない。
【発明を実施するための最良の形態】
【００１２】
本発明の実施の形態を図面に基づいて説明する。図１、図３は共に、本発明に係る扉開放支援装置を搭載した扉装置を室内側から見た正面図である。図２、図４は、それぞれ図１、図３に示す扉開放支援装置を備えた扉装置の戸先側の部分平面図であり、上図は開口部閉鎖時（スイッチＯＦＦ）、下図は扉開放支援装置が作動（スイッチＯＮ）して扉体が押し出された状態を示している。
【００１３】
扉装置は、上枠１、下枠２、戸先側縦枠３、戸尻側縦枠４とから四周枠状に形成された開口枠と、当該開口枠を開閉する正面視縦長方形状の扉体５と、からなる。扉体５は、室内側面部５０、室外側面部５１、戸先側端面５２、戸尻側端面５３を備えており、面部５０、５１には、戸先側に位置してハンドル５４が設けてある。扉体５は、幅方向の一端側（戸尻側）が丁番（後述する他の実施形態に係る図６において４０で示す）によって戸尻側縦枠４に回動可能に取り付けられており、開口部全閉状態では、幅方向の両端面５２、５３が左右の縦枠３、４間に納まった閉鎖姿勢となる。
【００１４】
ハンドル５４の操作に連動して、図示しないラッチが戸先側端面５２から出没するようになっており、開口部閉鎖状態では、突出したラッチが戸先側縦枠３側の図示しないラッチ受けに係止して扉体５の開放が規制されている。突出したラッチが戸先側端面５２内に没入すると、扉体５の開放規制が解除され、扉体５の回動が可能となる。開口部閉鎖状態から開口部を開放する時には、ハンドル５４の操作でラッチを没入させて、戸尻側を基端として丁番を介して扉体５を室外側へ押し出すことで、扉体５を閉鎖姿勢から開放姿勢へと回動させる。
【００１５】
扉装置の開口枠の上枠１と扉体５の上端部との間には、戸尻側に位置してドアクローザ６が設けてあり、ハンドル５４から手を離して扉体５を自由な状態とすると、開放姿勢にある扉体５は、ドアクローザ６によって自動的に閉鎖姿勢へと回動する。ドアクローザ６としては、開放した扉体５を自動的に閉鎖姿勢へ復帰させるものであれば、いかなる構成の装置であってもよい。ドアクローザ６の構成は当業者に周知なので詳細な説明は省略する。
【００１６】
扉装置の上方部位には、ドアクローザ６の戸先側に位置して扉開放支援装置が設けてある。扉開放支援装置は、扉体５を閉鎖姿勢から室外側へ押し出すための押し出し部７と、押し出し部７を突出させる作動機構８と、を備えている。扉開放支援装置の構成要素である押し出し部７と作動機構８は、開口枠側あるいは扉体５側のいずれかに設けられる。１つの態様では、扉開放支援装置の作動機構８は、ケーシング８Ａに収容されており、ケーシング８Ａを介して開口枠ないし扉体５に取り付けられる。
【００１７】
図１および図２に示す態様では、扉開放支援装置の押し出し部７、作動機構８は扉体５に設けてある。図３および図４に示す態様では、扉開放支援装置の押し出し部７、作動機構８は開口枠に設けてある。また、押し出し部７、作動機構８を開口枠側に設ける場合には、好ましい態様では、開口枠の上枠１の戸先側、あるいは／および、戸先側縦枠３の上方部位に設けられる。
【００１８】
押し出し部７は、回動端部同士が回動自在に連結されている第１アーム７０と第２アーム７１とからなり、第１アームと第２アームの連結部に当接部７２が設けてある。１つの好ましい態様では、当接部７２は第１アームと第２アームの連結部に設けた回転ローラである。第１アーム７０の他方の回動端部７００は作動機構８に回転自在に連結されており、第２アーム７１の他方の回動端部７１０は開口幅方向の移動が規制された状態で扉体５ないし開口枠に回転自在に連結されている。第１アーム７０の他方の端部７００が第２アーム７１の他方の端部７１０に近づくように移動して、第１アーム７０の他方の端部７００と第２アーム７１の他方の端部７１０との間の間隔が狭まると第１アーム７０と第２アーム７１との連結部、すなわち当接部７２が突出するようになっている。
【００１９】
作動機構８は、開口部閉鎖時の扉体５の室内側面部５０に沿って開口幅方向（開口部閉鎖時の扉体５の幅方向）に延出するラック８０と、ラック８０に噛合するピニオン８１と、ピニオン８１を回転駆動させるモータ８２と、モータ８２のモータ軸とピニオン８１との間に設けた伝動歯車機構８３と、モータ８２の動力源としての図示しないカートリッジ式のバッテリと、を備えている。
【００２０】
第１アーム７０の他方の端部７００は、ラック８０の戸先側端部に回転自在に連結されており、開口幅方向（開口部閉鎖時の扉体５の幅方向）に沿ったラック８０の往復動に連動して第１アーム７０の他方の端部７００が往復動するようになっている。第２アーム７１の他方の端部７１０は、図２の態様では、扉体５の室内側面部５０の戸先側に扉体５の幅方向における移動が規制された状態で連結されており、図４の態様では、開口枠の戸先側縦枠３の見込面（第２見込面３１）に扉体５の幅方向における移動が規制された状態で連結されている。
【００２１】
モータ８２が第１方向に回転すると、ピニオン８１が第１方向に回転して、ラック８０が扉体５の戸先側に向かって移動し、第１アーム７０の他方の端部７００が戸先側に移動して、第１アーム７０の他方の端部７００と第２アーム７１の他方の端部７１０の間の間隔が狭まって当接部７２が突出する。モータ８２が第１方向とは逆の第２方向に回転すると、ピニオン８１が第２方向に回転して、ラック８０が扉体５の戸尻側に向かって移動し、第１アーム７０の他方の端部７００が戸尻側に移動して、第１アーム７０の他方の端部７００と第２アーム７１の他方の端部７１０の間の間隔が拡がって当接部７２が突出した姿勢から引っ込む。
【００２２】
扉体５の少なくとも室内側面部５０には、ハンドル５４の近傍に位置してモータを駆動させるためのスイッチ５５が設けてあり、扉体５の開放時、より具体的には、ハンドル５４を操作してラッチによる係止状態を解除した時にスイッチ５５を押してＯＮとすることで、無線（例えば、赤外線）あるいは有線で作動信号が作動機構８に送信されるようになっている。１つの態様では、ハンドル５４を操作した時にスイッチ５５の押圧が可能となるようにして、ラッチが係止状態にある時に扉開放支援装置が作動することを防止する。あるいは、プッシュプル錠の解除操作（例えば、ハンドルのプッシュ操作）に連動してスイッチが自動的にＯＮとなってモータに作動信号が送信されるようにしてもよい。
【００２３】
作動機構８の作動（作動信号に基づくモータ８２の駆動）によって、押し出し部７が突出して、押し出し部７の当接部７２が上枠１ないし扉体５に設けた被当接部７３Ａ、７３Ｂを押圧し、その反動ないし押し出しで扉体５が開放方向（室外側）に押し出され、気圧差により生じた抵抗に対して補助的な力を加える。１つの態様では、ラック８０が戸先側に移動してラック８０の戸尻側端部までピニオン８１が来るとモータ８２に逆電流が流れ、ピニオン８１が逆回転して第２方向に回転することで、ラック８０が戸尻側に移動し、第１アーム７０の他方の端部７００が戸尻側に移動して、突出した当接部７２が引っ込んで元の待機姿勢となる。一旦作動した作動機構８を元の待機姿勢に復帰させる構成は、当業者において適宜設計し得る事項である。例えば、モータ８２を逆回転させるタイミングの設定は、モータの回転数、タイマー等によって適宜設定することができる。
【００２４】
扉開放支援装置の作動について、図２、図４に基づいてさらに具体的に説明する。図２上図は、開口部閉鎖状態の扉装置の戸先側部位を示す平面図である。扉開放支援装置の押し出し部７、作動機構８は、扉体５の室内側面部５０の上方部位に設けてある。戸先側縦枠３の見込面は、第１見込面３０と第２見込面３１とから段部状に形成されており、第１見込面３０が室外側、第２見込面３１が室内側に位置している。第２見込面３１は、第１見込面３０に対して戸尻側に偏移することで段差部が形成されている。第１見込面３０と第２見込面３１の段差部に形成された凹部には気密部材３２が嵌合されている。開口部閉鎖時には、扉体５の戸先側端面５２が第１見込面３０に近接対向し、扉体５の戸先側端面５２の内側の角部Ｃ（戸先側端面５２と室内側面部５０との角部）が気密部材３２に当接している。
【００２５】
第１アーム７０の回動端部７００はラック８０の戸先側端部に回転自在に連結されており、第２アーム７１の回動端部７１０は扉体５の面部５０の戸先側に固定した取付部５００に回転自在に連結されている。作動機構８のラック８０は、扉体５の戸先側から離間する側（戸尻側）に退避した待機姿勢にあり、第１アーム７０と第２アーム７１とは、当接部７２が突出方向に僅かに突出した「く」字状（１８０度よりも若干小さい角度）の待機姿勢にあり、当接部（例えば、回転ローラ）７２は、上枠１側に垂設した被当接部７３Ａ（例えば、上枠１の下面に設けた水平片と水平片から垂下する垂直片とからＬ形状に形成されたアングル材である）に当接している。図２に示すように、被当接部７３Ａは少なくとも当接部７２の移動範囲（摺動範囲ないし回転ローラの場合には転動範囲）に亘って延出していればよいが、図１に示すように、前記移動範囲を含むより大きい部材から被当接部７３Ａを形成してもよい。
【００２６】
図２上図の状態において、作動機構８がスイッチ５５から作動信号を受信すると、モータ８２が第１方向に回転して、ピニオン８１を第１方向に回転させて、ラック８０を戸先側に移動させる。ラック８０が戸先側に移動することに連動して、当接部（回転ローラ）７２が被当接部７３Ａに当接した状態で被当接部７３Ａ上を戸先側に摺動しながら移動して第１アーム７０と第２アーム７１とが屈曲し、この時、第１アーム７０と第２アーム７１とがなす角度がより鋭角となって突出姿勢となり、被当接部７３Ａに当接する当接部７２の突出時の反動で扉体５の戸先側が開放方向である室外側に押し出される。
【００２７】
ここで重要なことは、押し出し部７によって、扉体５の戸先側端面５２の室内側の角部Ｃが、戸先側縦枠３の第１見込面３０と第１見付面３３との角部（見付面の室外側角部）から少なくとも僅かに（例えば、少なくとも２〜３ｍｍ）室外側に離隔する位置まで押し出されるということである。こうすることで、扉体５の戸先側端面５２の室内側角部Ｃと戸先側縦枠の室外側角部との間に室内外を連通する隙間が形成される。したがって、開口部閉鎖状態からの押し出し部７の突出寸法は、扉体５の戸先側を室外側に押し出して、扉体５を戸先側端面５０の内側の角部Ｃが戸先側縦枠３の第１見込面３０と第１見付面３３との角部から少なくとも僅かに室外側に離隔する位置まで回動させる程度の寸法である。ここで、押し出し部７の突出寸法とは、第１アーム７０の他方の端部７００と第２アーム７１の他方の端部７１０を結ぶ仮想直線から離隔する方向（典型的には、仮想直線に対して直交する方向）の寸法である。
【００２８】
図４では、扉開放支援装置の押し出し部７、作動機構８は、開口枠側に取り付けられている。より具体的には、押し出し部７が扉体５の室内側面部５０に対向するように、上枠１から垂下するように扉開放支援装置が取り付けられる。第１アーム７０の回動端部７００はラック８０の戸先側端部に回転自在に連結されており、第２アーム７１の回動端部７１０は戸先側縦枠３の第２見込面３１に固定した取付部３１０に回転自在に連結されている。
【００２９】
図４上図は、開口部閉鎖状態の扉装置の戸先側部位を示す平面図であり、作動機構のラック８０は、扉体５の戸先側から離間する側（戸尻側）に退避した待機姿勢にあり、第１アーム７０と第２アーム７１とは、１８０度未満の角度で延出する「く」字状の待機姿勢にあり、当接部７２（例えば、回転ローラ）は、扉体５の室内側面部５０に設けた被当接部７３Ｂに当接している。被当接部７３Ｂは、１つの態様では室内側面部５０に貼り付けた補強プレート（少なくとも当接部７２の移動範囲に亘って延出していればよい）であるが、被当接部７３Ｂは室内側面部５０の一部であってもよい。また、被当接部７３Ｂ（室内側面部５０の一部）に対して当接部７２が当接しながら移動するので、被当接部７３Ｂ（室内側面部５０の一部）の１点に局所的に力が集中することがなく、扉体５の室内側面部５０の変形等を可及的に防止することができる。
【００３０】
図４上図の開口部閉鎖状態において、作動機構８がスイッチ５５から作動信号を受信すると、モータ８２が第１方向に回転して、ピニオン８１を第１方向に回転させて、ラック８０を戸先側に移動させる。ラック８０が戸先側に移動することに連動して、当接部（回転ローラ）７２が被当接部に当接した状態で被当接部７３Ｂ上を戸先側に摺動しながら移動して第１アーム７０と第２アーム７１とが折れ曲がり、この時、第１アーム７０と第２アーム７１とがなす角度がより鋭角となって突出姿勢となり、被当接部７３Ｂに当接する当接部７２の突出時の押し出しで扉体５の戸先側が開放方向である室外側に押し出される。図４下図から明らかなように、押し出し部７によって、扉体５の戸先側端面５２の室内側の角部Ｃが、戸先側縦枠３の第１見込面３０と第１見付面３３との角部（見付面の室外側角部）から少なくとも僅かに（例えば、少なくとも２〜３ｍｍ）室外側に離隔する位置まで押し出される。こうすることで、扉体５の戸先側端面５２の室内側角部Ｃと戸先側縦枠３の室外側角部との間に室内外を連通する隙間が形成される。
【００３１】
さらに他の実施形態について、図５乃至図１０に基づいて説明する。同一の構成要素ついては、明細書全体を通して同一の参照番号を付してあり、同じ番号を付した構成要素の説明は既述の記載を援用することができる。
【００３２】
図５は、本発明に係る扉開放支援装置を搭載した扉装置を室内側から見た正面図である。図６において、上図は図５の平面図、下図は図５の上方部位を拡大して示す図である。扉装置の開口枠の上枠１と扉体５の上端部との間には、戸尻側に位置してドアクローザ６が設けてある。扉装置の上方部位には、ドアクローザ６の戸先側に位置して扉開放支援装置が設けてある。扉開放支援装置は、扉体５を閉鎖姿勢から押し出すための押し出し部７と、押し出し部７を突出させる作動機構８と、を備えている。１つの態様では、扉開放支援装置の構成要素である押し出し部７、作動機構８は、押し出し部７の突出を可能とする開口を備えたケーシング８Ｂに収容されており、ケーシング８Ｂを介して開口枠ないし扉体５に取り付けられる。図５乃至図１０に示す態様では、扉開放支援装置の押し出し部７、作動機構８は開口枠（上枠１）に設けてあるが、扉開放支援装置を扉体５側に設けることができることは当業者に理解される。
【００３３】
押し出し部７は、端部同士が回動自在に連結されている第１アーム７０と第２アーム７１とからなり、第１アーム７０と第２アーム７１の連結部に当接部７２が設けてある。１つの好ましい態様では、当接部７２は第１アームと第２アームの連結部に設けた回転ローラである。
【００３４】
作動機構８は、開口部閉鎖時の扉体５の室内側面部５０に沿って扉体５の幅方向に延出する送りねじ軸（ボールねじ、台形ねじ等を用いるものが例示される）８４と、送りねじ軸８４を回転させるモータ８５と、送りねじ軸８４と平行して延出するガイド軸８６と、送りねじ軸８４の回転に連動して送りねじ軸８４上を移動する第１ガイドブロック８７と、ガイド軸８６上に設けられた第２ガイドブロック８８と、からなる。扉開放支援装置の作動時には、第１ガイドブロック８７は可動ブロックであり、第２ガイドブロック８８は固定ブロックである。
【００３５】
第１アーム７０の回動端部７００は、第１ガイドブロック８７に回転自在に連結されており、送りねじ軸８４の長さ方向に沿う第１ガイドブロック８７の往復動に連動して、第１アーム７０の回動端部７００が送りねじ軸８４の長さ方向（開口幅方向）に往復動するようになっている。第１ガイドブロック８７にはガイド軸８６の挿通部が形成されているが、挿通部はガイド軸８６を案内する案内孔でも、あるいは、単にガイド軸８６を挿通させる空間でもよい。
【００３６】
第２アーム７１の回動端部７１０は、第２ガイドブロック８８に回転自在に連結されている。モータ８５への電力供給は商用電源から行なわれる。通電時（商用電源有効時）には、第２ガイドブロック８８の移動が規制されており、第２アーム７１の回動端部７１０は、ガイド軸８６の長さ方向の移動が規制された固定端となっている。
【００３７】
より具体的には、第２ガイドブロック８８は、移動規制手段９によって開口幅方向の移動が規制されており、移動規制手段９は通電時に第２ガイドブロック８８の移動を規制し、停電時に第２ガイドブロック８８の移動規制を解除して第２ガイドブロック８８の移動を許容する。１つの態様では、移動規制手段９は、第２ガイドブロック８８に係止して第２ガイドブロック８８の移動を規制するラッチ９０と、ラッチ９０の係止状態を解除するソレノイド９１と、を備えている。移動規制手段９の構成についてさらに具体的に説明する。
【００３８】
図１０（Ｂ）の態様では、ラッチ９０は回動ラッチであり、第２ガイドブロック８８に係止する方向に付勢されている。ソレノイド９１の突出ピン９１０は通電時にはソレノイド９１の引っ張りによって退避しており、ラッチ９０が第２ガイドブロック８８に係止して移動が規制されている。停電時には、ソレノイド９１の引っ張りが無くなり、付勢手段によって突出ピン９１０が突出してラッチ９０を回動させて係止状態を解除し、ガイド軸８６に沿った第２ガイドブロック８８の移動を許容する。
【００３９】
図１０（Ｃ）の態様では、ラッチ９０は平行移動可能なラッチであり、第２ガイドブロック８８から離間する方向に付勢されている。ソレノイド９１はロータリーソレノイドであり、ソレノイド９１には楕円状のカム９１１が設けある。通電時にはカム９１１は長手方向がガイド軸８６と直交した姿勢にあり、カム９１１によってラッチ９０が押し出されて第２ガイドブロック８８に係止して移動が規制されている。停電時には、カム９１１は長手方向がガイド軸８６と平行した姿勢まで回動し、ラッチ９０が第２ガイドブロック８８から離間して、ガイド軸８６に沿った第２ガイドブロック８８の移動が許容される。
【００４０】
図７上図は、開口部閉鎖状態を示しており、第１アーム７０と第２アーム７１は、僅かに突出した「く」字状の待機姿勢で、当接部７２が扉体５の室内側面部５０（被当接部）に当接している。この状態からモータ８５が第１方向に回転すると、送りねじ軸８４が第１方向に回転して、第１ガイドブロック８７が送りねじ軸８４に沿って戸先側に移動し、第１アーム７０の回動端部７００が戸先側に移動して、第１アーム７０の回動端部７００と第２アーム７１の回動端部７１０の間の間隔が狭まって当接部７２が突出する。
【００４１】
図７下図から明らかなように、押し出し部７によって、扉体５の戸先側端面５２の室内側の角部Ｃが、戸先側縦枠３の第１見込面３０と第１見付面３３との角部（見付面の室外側角部）から少なくとも僅かに（例えば、少なくとも２〜３ｍｍ）室外側に離隔する位置まで押し出される。こうすることで、扉体５の戸先側端面５２の室内側角部Ｃと戸先側縦枠３の室外側角部との間に室内外を連通する隙間が形成される。
【００４２】
扉開放支援装置が作動して扉体５を押し出した後は、モータ８５が第１方向とは逆の第２方向に回転するように制御されており、送りねじ軸８４が第２方向に回転して、第１ガイドブロック８７が送りねじ軸８４に沿って戸尻側に向かって移動し、第１アーム７０の回動端部７００が戸尻側に移動して、第１アーム７０の回動端部７００と第２アーム７１の回動端部７１０の間の間隔が拡がって当接部７２が引っ込んで元の待機姿勢に復帰する。
【００４３】
扉開放支援装置が作動して扉体５を押し出す時に停電となった場合には、図８に示すように、移動規制手段９が解除されることで第２ガイドブロック８８の移動が自由となり、ドアクローザ６の閉鎖力によって当接部７２が押し込まれて元の待機姿勢に復帰する。
【００４４】
図９を参照しつつ、通常時の扉開放支援装置の動作について説明する。扉体５のハンドル等と連動した作動信号が入力されると、ソレノイド９１が作用し、ラッチ９０が第２ガイドブロック８８に係止して移動を規制する。電力消費を考慮しなければ、ソレノイド９１を常時作動させておいてもよい。第２ガイドブロック８８の移動が規制された状態（図９（Ａ））で、作動信号に基づいてモータ８５が第１方向に回転駆動すると、モータ８５に連結された直動機構（送りねじ軸８４を用いた送りねじ機構）によって第１ガイドブロック８７が戸先側に引き寄せられ、第１ガイドブロック８７に連結された第１アーム７０の回動端部７００が第２アーム７１の回動端部７１０側に移動していく（図９（Ｂ））。これによって、第１アームと第２アームが屈曲して突出姿勢（図９（Ｃ））となり、被当接部に当接する当接部７２の突出時の押し出しで扉体５の戸先側を室外側に押し出す。
【００４５】
図１０を参照しつつ、扉開放支援装置の動作中に停電となった場合について説明する。第２ガイドブロック８８の移動規制手段９であるソレノイド９１への電源が絶たれると、移動規制手段９が解除され、第２ガイドブロック８８のガイド軸８６上の移動が許容される。第２アーム７１の回動端部７１０が連結された第２ガイドブロック８８の移動が自由となることで、ドアクローザ６の閉鎖力で突出姿勢にある押し出し部７を押し込みながら扉体５が自動的に閉鎖する。商用電源が復帰した後は、第１ガイドブロック８７、第２ガイドブロック８８を元の初期位置まで移動させて、待機姿勢とする。通電時に常にソレノイド９１を作動させる場合には、ソレノイド９１を作動させてラッチ９０を第２ガイドブロック８８に係止させる。
【産業上の利用可能性】
【００４６】
本発明は、マンション等の玄関ドアに用いることができる。
【図面の簡単な説明】
【００４７】
【図１】本発明に係る扉開放支援装置を備えた扉装置の室内側正面図である。
【図２】本発明に係る扉開放支援装置を備えた扉装置の戸先側の部分平面図であり、上図は開口部閉鎖時（スイッチＯＦＦ）、下図は扉開放支援装置が作動（スイッチＯＮ）して扉体が押し出された状態を示している。
【図３】本発明に係る扉開放支援装置を備えた扉装置の室内側正面図である。
【図４】本発明に係る扉開放支援装置を備えた扉装置の戸先側の部分平面図であり、上図は開口部閉鎖時、下図は扉開放支援装置が作動して扉体が押し出された状態を示している。
【図５】本発明に係る扉開放支援装置を備えた扉装置の室内側正面図である。
【図６】上図は図５の平面図、下図は図５の上方部位を拡大して示す図である。
【図７】本発明に係る扉開放支援装置を備えた扉装置の戸先側の部分平面図であり、上図は開口部閉鎖時、下図は扉開放支援装置が作動して扉体が押し出された状態を示している。
【図８】扉開放支援装置が作動した後に停電が生じて第２ガイドブロックの移動規制が解除された状態を示す図である。
【図９】（Ａ）作動機構による押し出し部の作動を説明する図である。（Ｂ）作動機構による押し出し部の作動を説明する図である。（Ｃ）作動機構による押し出し部の作動を説明する図である。
【図１０】（Ａ）図９（Ａ）の状態から第２ガイドブロックの移動規制が解除された状態を示す図である。（Ｂ）第２ガイドブロックの移動規制手段を説明する図である。（Ｃ）第２ガイドブロックの移動規制手段を説明する図である。（Ｄ）図１０（Ａ）の状態から図９（Ａ）の状態への復帰を説明する図である。
【符号の説明】
【００４８】
１  上枠
３  戸先側縦枠
３０  第１見込面
３１  第２見込面
３３  第１見付面
５  扉体
５０  室内側面部
５２  戸先側端面
Ｃ    戸先側端面の室内側角部
６  ドアクローザ
７  押し出し部
７０  第１アーム
７１  第２アーム
７２  当接部
７３Ａ  被当接部
７３Ｂ  被当接部
８    作動機構
【図１】
2010144373.tif 000003
【図２】
2010144373.tif 000004
【図３】
2010144373.tif 000005
【図４】
2010144373.tif 000006
【図５】
2010144373.tif 000007
【図６】
2010144373.tif 000008
【図７】
2010144373.tif 000009
【図８】
2010144373.tif 000010
【図９】
2010144373.tif 000011
【図１０】
2010144373.tif 000012